(57)【要約】    【課題】  ＩＰ網及びＰＳＴＮの少なくとも一方を経由する複数の通信経路を選択的に利用してファクシミリ通信を実行するファクシミリ装置において、実行したファクシミリ通信の通信経路の情報を容易に確認可能とする。    【解決手段】  ファクシミリ通信の際に発呼された相手先のダイヤル番号に基づき通信経路を判定する経路判定部と、その経路判定部によって判定された通信経路の情報を格納する通信情報記憶部と、その通信情報記憶部に格納された通信経路の情報を通信管理レポートの情報として出力させる出力制御部とを有する構成とする。【選択図】    図２
2006157366.tif 000002
【特許請求の範囲】
【請求項１】
ＩＰ網及びＰＳＴＮの少なくとも一方を経由する複数の通信経路を選択的に利用してファクシミリ通信を実行するファクシミリ装置であって、
ファクシミリ通信の際に発呼された相手先のダイヤル番号に基づき通信経路を判定する経路判定部と、
その経路判定部によって判定された通信経路の情報を格納する通信情報記憶部と、
その通信情報記憶部に格納された通信経路の情報を通信管理レポートの情報として出力させる出力制御部とを有することを特徴とするファクシミリ装置。
【請求項２】
前記通信経路の情報は、前記通信管理レポートにおいて、一の情報欄に通信の成否に関する情報と一括表示されることを特徴とする請求項１に記載のファクシミリ装置。
【請求項３】
前記通信経路は、ＩＰ網のみを経由する経路、ＩＰ網の後にＰＳＴＮを経由する経路、並びにＰＳＴＮのみを経由する経路のうちの１つであることを特徴とする請求項１に記載のファクシミリ装置。
【請求項４】
所定の通信手順に基づくファクシミリ通信において通信エラーが生じた場合に、より通信速度の低い通信手順に切換えて同一の通信経路でファクシミリ通信を実行する通信制御部を更に有し、前記出力制御部は、通信速度の情報を通信管理レポートの情報として更に出力させることを特徴とする請求項１に記載のファクシミリ装置。
【発明の詳細な説明】
【技術分野】
【０００１】
本発明は、ファクシミリ装置に関し、特に、ＩＰ網及びＰＳＴＮ（公衆交換電話網）の双方を利用してファクシミリ通信可能なファクシミリ装置に関する。
【背景技術】
【０００２】
従来、ＩＰ網及びＰＳＴＮの双方を利用してファクシミリ通信を行うために、装置ＰＳＴＮに接続するための網制御装置と、インターネットに接続するためのローカルエリアネットワーク通信制御部とを備えたファクシミリ装置が知られている。（例えば、特許文献１参照）。
【０００３】
この種の装置では、相手先のファクシミリ装置がＩＰ網及びＰＳＴＮの双方を利用可能な場合には、その相手先装置に対してＰＳＴＮ用及びＩＰ網用の２つのダイヤル番号を登録することができる。オペレータは、通信品質や通信コスト等の観点から、発呼時に一のダイヤル番号を選択し、場合によっては、選択したダイヤル番号の先頭にさらに切換識別番号を付加するなどして、所望の通信経路を適宜選択することが可能である。
【特許文献１】特開２００３−１５２９４４号公報
【発明の開示】
【発明が解決しようとする課題】
【０００４】
しかしながら、上記特許文献１に記載のようなファクシミリ装置の場合、通信結果について表示する通信管理レポートには、相手先情報としてダイヤル番号やＩＤ等が含まれるものの、何れの通信経路でファクシミリ通信が実行されたかについての情報は含まれていなかった。従って、オペレータは、通信管理レポートを参照することによって、ファクシミリ通信が正常に終了したか否か等を確認することができるが、選択された通信経路が適切であったか否かについて把握することは困難であった。このような状況では、例えば、オペレータが通信コストの観点からＩＰ網のみを経由する通信を選択しても、通信網内の諸事情による通信不能や著しい遅延などの不都合が生じ、不用意に利便性の低下を招くことにもなりかねない。
【０００５】
本発明は、このような従来技術の問題点を解消するべく案出されたものであり、実行したファクシミリ通信の通信経路の情報を容易に確認することができるファクシミリ装置を提供することを主目的とする。
【課題を解決するための手段】
【０００６】
このような課題を解決するために、本発明によるファクシミリ装置は、請求項１に示すとおり、ＩＰ網及びＰＳＴＮの少なくとも一方を経由する複数の通信経路を選択的に利用してファクシミリ通信を実行するファクシミリ装置であって、ファクシミリ通信の際に発呼された相手先のダイヤル番号に基づき通信経路を判定する経路判定部と、その経路判定部によって判定された通信経路の情報を格納する通信情報記憶部と、その通信情報記憶部に格納された通信経路の情報を通信管理レポートの情報として出力させる出力制御部とを有する構成とする。
【０００７】
これによると、オペレータは、実行したファクシミリ通信の通信経路の情報を通信管理レポートにより容易に確認することができる。従って、通信の成否や通信速度等の通信に関連する他の情報を同時に参照することにより、通信品質（通信の安定性及び通信速度等）や通信コストの観点から通信経路を評価し、適切な通信経路を把握することが可能となる。特に、通信エラーが発生した場合には問題が生じた通信経路を容易に特定できるので、他の適切な通信経路を選択して良好なファクシミリ通信を実行することが可能となる。
【０００８】
ここで、通信管理レポートは、オペレータに対してファクシミリ通信の実行結果を報知するための種々の情報を包含する情報群であり、情報の配列方法や出力形式は問わない。オペレータは、通信管理レポートの内容を所定の表示パネルに表示出力させることにより、或いは、所定の記録紙に印刷出力させることにより通信結果に関する情報を取得することが可能である。
【０００９】
また、上記ファクシミリ装置は、請求項２に示すとおり、通信経路の情報は、通信管理レポートにおいて、一の情報欄に通信の成否に関する情報と一括表示される構成とすることができる。
【００１０】
これにより、オペレータは、実行したファクシミリ通信の通信経路及び通信の成否を一度に確認することができ、また、通信管理レポートにおいて通信経路の情報を表示する欄を別途設ける必要もない。この場合、例えば、通信経路の情報を通信の成否に関するコード情報中に含ませることができる。
【００１１】
また、上記ファクシミリ装置は、請求項３に示すとおり、通信経路は、ＩＰ網のみを経由する経路、ＩＰ網の後にＰＳＴＮを経由する経路、並びにＰＳＴＮのみを経由する経路のうちの１つである構成とすることができる。
【００１２】
オペレータは、通信コストの観点からＩＰ網のみを経由する経路、ＩＰ網の後にＰＳＴＮを経由する経路、並びにＰＳＴＮのみを経由する経路の順で通信経路を選択することができる一方、通信の安定性の観点からＰＳＴＮのみを経由する経路、ＩＰ網の後にＰＳＴＮを経由する経路、並びにＩＰ網のみを経由する経路の順で通信経路を選択することができる。
【００１３】
また、上記ファクシミリ装置は、請求項４に示すとおり、所定の通信手順に基づくファクシミリ通信において通信エラーが生じた場合に、より通信速度の低い通信手順に切換えて同一の通信経路でファクシミリ通信を実行する通信制御部を更に有し、出力制御部は、通信速度の情報を通信管理レポートの情報として更に出力させる構成とすることができる。
【００１４】
これによると、オペレータは実行したファクシミリ通信の通信経路及び通信速度の情報を同時に参照することができ、通信速度及び通信コストの観点から適切な通信経路を把握することが可能となる。
【発明の効果】
【００１５】
このように本発明によれば、オペレータは、実行したファクシミリ通信の通信経路の情報を通信管理レポートにより容易に確認することができる。特に、通信エラーが発生した場合には問題が生じた通信経路を容易に特定できるという利点がある。
【発明を実施するための最良の形態】
【００１６】
以下、本発明の実施の形態を、図面を参照しながら説明する。
【００１７】
図１は、本発明によるファクシミリ装置を用いた通信システムの概略構成を示すブロック図である。この通信システムは、Ｇ３ファクシミリ通信手順により相互にファクシミリ通信を行うことが可能なファクシミリ装置１，２がＰＢＸ（Private Branch Exchanger）３，４を介してそれぞれＩＰ網５及びＰＳＴＮ（公衆交換電話網）６に接続された構成を有する。
【００１８】
ファクシミリ装置１，２は、ＩＰ網５及びＰＳＴＮ６の少なくとも一方を経由する複数の通信経路を選択的に利用してファクシミリ通信を実行することが可能である。
【００１９】
ＰＢＸ３，４は、ファクシミリ装置１，２からの指示に応じてＩＰ網５及びＰＳＴＮ６からなる通信経路を適宜選択可能なＶｏＩＰ（Voice over Internet Protocol）アダプタ機能を備え、ファクシミリ通信手順による信号をＰＳＴＮ６へ送出するか、或いは、ファクシミリ装置１，２からの信号をＶｏＩＰ通信手順による信号に変換してＩＰ網５へ送出することが可能である。
【００２０】
なお、ファクシミリ装置１，２のＩＰ網５及びＰＳＴＮ６への接続は、必ずしもＰＢＸ３，４を介した構成に限定されるものではなく、同様の機能を有する他の装置を利用した構成や、同様の機能をファクシミリ装置１，２に備えた構成も可能である。
【００２１】
上記通信システムにおいて、ファクシミリ装置１，２は同様に動作することが可能であるが、例えば、ファクシミリ装置１からファクシミリ装置２に対してファクシミリ送信を実行する場合には、ＰＢＸ３によりファクシミリ装置１の発呼時のダイヤル番号が検知され、そのダイヤル番号に基づき図１に示すＡ〜Ｃの通信経路の何れかが選択されることになる。このＰＢＸ３が経路を選択する際に検出するダイヤル番号については、ダイヤル番号そのものに限らず、ダイヤル番号から一義的に定まる選択信号を検出させるようにしてもよい。
【００２２】
ここで、ＰＢＸ３が、ＩＰ用のダイヤル番号（例えば、「０５０」で始まる１１桁の番号）を検知した場合には、ＩＰ網５のみを経由する経路Ａが選択され、ＰＳＴＮ用のダイヤル番号（例えば、市外局番「０５２」で始まる１０桁の番号）を検知した場合には、ＩＰ網５の後にＰＳＴＮ６を経由する経路Ｂが選択され、更に、先頭に切替識別番号（例えば、固定電話回線の発信用の「００００」）が付されたＰＳＴＮ用のダイヤル番号を検知した場合には、ＰＳＴＮ６のみを経由する経路Ｃが選択される。
【００２３】
なお、本実施の形態では、通信コストの観点から、経路Ａ、経路Ｂ、及び経路Ｃの順で通信経路を選択するものとするが、場合によっては、通信の安定性の観点から、経路Ｃ、経路Ｂ、及び経路Ａの順で通信経路を選択することができる。また、ここでは特に言及しないが、上記通信システムにおいてＰＳＴＮ６の後にＩＰ網５を経由する経路も実現可能である。
【００２４】
図２は、本発明によるファクシミリ装置の概略構成を示すブロック図である。ファクシミリ装置１，２は、スキャナ部１１、プリンタ部１２、読取／記録制御部１３、画情報メモリ１４、表示・操作パネル１５、パネル制御部１６、バックアップメモリ（通信情報記憶部）１７、通信インタフェース（Ｉ／Ｆ）１８、モデム１９、符号／複合制御部２０、及び主制御部２１を主として備える。
【００２５】
スキャナ部１１は、原稿を読み取ってファクシミリ送信のための画像データを生成する。プリンタ部１２は、受信した画像データや通信管理レポート等の各種情報を記録紙に印字する。読取／記録制御部１３は、スキャナ部１１の読取動作及びプリンタ部１２の印刷動作を制御する。画情報メモリ１４は、スキャナ部１１により読み取られた画像データ及び相手先の装置から受信した画像データ等を格納する。
【００２６】
表示・操作パネル１５は、オペレータに対して装置動作等に関連する各種情報を表示するための表示パネルと、オペレータが宛先名称及びダイヤル番号の入力並びに送信時の宛先の指定などの操作を行うための入力操作キーとを有する。パネル制御部１６は、表示・操作パネル１５の動作を制御する。
【００２７】
バックアップメモリ１７は、装置動作に関連する各種パラメータを格納する。特に、バックアップメモリ１７は、ファクシミリ通信を実行する際に主制御部２１によって判定される通信経路の情報を格納する。
【００２８】
通信インタフェース（Ｉ／Ｆ）１８は、ＰＢＸ３，４をを介してファクシミリ装置をＩＰ網５またはＰＳＴＮ６へ接続するためのインタフェースである。モデム１９は、Ｇ３ファクシミリ通信手順により画像データを送受するための変復調機能を有する。また、モデム１９は、相手先の装置に接続するためのダイヤル信号を送出する機能を有し、オペレータが表示・操作パネル１５にて予め登録された相手先を指定して送信の指示を行うと、バックアップメモリ１７から読み出される相手先のダイヤル番号に基づいて発呼する発信処理を行う。モデム１９は、通信速度の異なる複数の通信手順（例えば、ＩＴＵ−Ｔ勧告Ｖ．３４、Ｖ．１７等の通信規格）に基づき動作可能である。
【００２９】
符号／複合制御部２０は、送信する画像データの圧縮や受信した画像データの復元等を制御する。
【００３０】
主制御部２１は、ファクシミリ装置１，２の各部を統括的に制御する。特に、主制御部２１は、ファクシミリ通信の際に発呼された相手先のダイヤル番号に基づき通信経路を判定する経路判定部として機能し、その通信経路の情報をバックアップメモリ１７に格納する。より詳細には、主制御部２１は、発呼されたダイヤル番号がＩＰ用のダイヤル番号である場合には、ＩＰ網５のみを経由する経路（図１の経路Ａ）であると判定し、ＰＳＴＮ用のダイヤル番号である場合には、ＩＰ網５の後にＰＳＴＮ６を経由する経路（図１の経路Ｂ）であると判定し、更に、先頭に切替識別番号が付されたＰＳＴＮ用のダイヤル番号である場合には、ＰＳＴＮ６のみを経由する経路（図１の経路Ｃ）であると判定する。
【００３１】
また、主制御部２１は、バックアップメモリ１７に格納されたその通信経路の情報を通信管理レポートの情報として出力させる出力制御部として機能する。
【００３２】
さらに、主制御部２１は、所定の通信手順に基づくファクシミリ通信において通信エラーが生じた場合に、より通信速度の低い通信手順に切換えて同一の通信経路でファクシミリ通信を実行させる通信制御部として機能し、その通信速度の情報を通信管理レポートの情報として出力させることができる。ここで、通信管理レポートの出力は、その内容を表示・操作パネル１５に表示出力させることにより、或いは、所定のプリンタ２１に印刷出力させることにより行うことができる。
【００３３】
図３は、図２に示したファクシミリ装置のバックアップメモリに格納される各種情報の構成を示す模式図である。バックアップメモリ１７は、各種情報が格納される複数の情報エリアを有する。それらの複数の情報エリアは、ファクシミリの送受信動作に関するパラメータの情報を格納するパラメータ情報エリア３１、ファクシミリの送信または受信結果に関する情報（通信管理レポート情報[1]〜[Ｎ]）３２を格納する通信管理レポート情報エリア３３、短縮ダイヤルに関するダイヤル番号等の情報を格納する短縮ダイヤル情報エリア３４、及びワンタッチダイヤルに関するダイヤル番号等の情報を格納するワンタッチダイヤル情報エリア３５等から構成される。
【００３４】
図４は、図２に示したファクシミリ装置におけるダイヤル番号の登録手順の説明図である。ここでは、表示・操作パネル１５の所定の操作キーに対応させてダイヤル番号を予め登録しておき、その操作キーを押下することにより発呼を可能とするワンタッチダイヤルに関する登録手順を示すが、所定の短縮番号に対応させてダイヤル番号を予め登録しておき、その短縮番号に対応する操作キーを押下することにより発呼を可能とする短縮ダイヤルの場合も同様の手順で登録可能である。
【００３５】
ワンタッチダイヤルのダイヤル番号の登録では、まず、表示・操作パネル１５の表示パネルにダイヤル番号を登録する操作キーの入力画面４１が表示され、そこで、オペレータにより所望の操作キー（[Ｑ]）が入力される。次に、ダイヤル番号の入力画面４２が表示され、オペレータによりＰＳＴＮ用のダイヤル番号（[0][5][2][1][2][3][1][1][1][1]）が入力される。オペレータは、ダイヤル番号の表示４３が正しいことを確認し、確認ボタン（[セット]）を押下する。
【００３６】
次に、オペレータによりリルート機能（通信経路の自動選択機能）の使用の有無が設定され、リルート機能を使用する場合には、ダイヤル番号の入力画面４４が表示され、オペレータによりＩＰ用のダイヤル番号（[0][5][0][1][2][3][4][5][6][7][8]）が入力される。オペレータは、ダイヤル番号の表示４３が正しいことを確認し、確認ボタン（[セット]）を押下することで、相手先名の入力画面４６が表示され、相手先名を入力可能となる。一方、リルート機能を使用しない場合（相手先にＩＰ用のダイヤル番号がない場合を含む）には、ＩＰ用のダイヤル番号を登録することなしに相手先名の入力画面４６が表示され、相手先名を入力可能となる。そこで、オペレータが相手先名（図示せず）を入力することにより、ワンタッチダイヤルに関する登録操作が完了する。
【００３７】
ここで、リルート機能とは、図１に示した通信経路Ａ〜Ｃについて予め設定された優先順位に従って通信経路を自動選択してファクシミリ通信を実行するものであり、その選択された通信経路で通信エラーが発生した場合には、他の通信経路を順次自動選択してファクシミリ通信を再度実行する機能である。従って、相手先のファクシミリ装置がＰＳＴＮ用のダイヤル番号及びＩＰ用のダイヤル番号の双方を有する場合にのみ使用可能となる。
【００３８】
図５は、図３に示した通信管理レポート情報の内容を示す模式図である。通信管理レポート情報３２は、通信の種類を示す通信種類情報、送信または受信の何れであるかを示すモード情報、相手先の装置への接続から通信完了までの時間を示す通信時間情報、通信開始時間（日時）情報、原稿画像を一旦画情報メモリ１４に蓄積した後に送信を実行するメモリ送信時の蓄積されたページ数を示す蓄積ページ情報、送信が完了したページ数を示す送信ページ情報、受信が完了したページ数を示す受信ページ情報、相手先のＩＤや相手先名等を示す相手先情報、通信速度（例えば、ＩＴＵ−Ｔ勧告Ｖ．３４、Ｖ．１７等の通信規格）等を示す通信コード情報、通信の成否を示す通信結果情報、通信経路がＩＰ網５のみを経由する経路（ＩＰ→ＩＰ）、ＩＰ網５の後にＰＳＴＮ６を経由する経路（ＩＰ→ＰＳＴＮ）、及びＰＳＴＮ６のみを経由する経路（ＰＳＴＮ→ＰＳＴＮ）の何れであるかを示す通信経路の情報を含むＶｏＩＰ通信情報、並びに発生したエラーに対応するエラー番号を示すエラーコード情報等から構成される。
【００３９】
図６は、図５に示したＶｏＩＰ通信情報に通信経路の情報が格納される処理を示すフロー図である。所定の通信経路でファクシミリ通信が実行されると、まず、その相手先についてリルート機能を使用しているか否か（オペレータによりリルート機能の設定がされているか否か）が判定される（ＳＴ１）。そこで、リルート機能を使用している場合には、実行されたファクシミリ通信において発呼されたダイヤル番号がＩＰ用のダイヤル番号であるか否かが判定される（ＳＴ２）。発呼されたダイヤル番号がＩＰ用のダイヤル番号である場合には、バックアップメモリ１７内のＶｏＩＰ通信情報エリアにＩＰ網５のみを経由する経路（ＩＰ→ＩＰ）で通信が実行されたことが記録される（ＳＴ３）。
【００４０】
一方、発呼されたダイヤル番号がＩＰ用のダイヤル番号でない場合（ＳＴ２：ＮＯ）には、ダイヤル番号がＰＳＴＮ用のダイヤル番号であるか否かが判定される（ＳＴ４）。発呼されたダイヤル番号がＰＳＴＮ用のダイヤル番号である場合には、バックアップメモリ１７内のＶｏＩＰ通信情報エリアにＩＰ網５の後にＰＳＴＮ６を経由する経路（ＩＰ→ＰＳＴＮ）で通信が実行されたことが記録される（ＳＴ５）。ダイヤル番号が、ＩＰ用またはＰＳＴＮ用の何れでもない場合には、発呼されたダイヤル番号が先頭に切替識別番号が付されたＰＳＴＮ用のダイヤル番号であると判断され、バックアップメモリ１７内のＶｏＩＰ通信情報エリアにＩＰＳＴＮ６のみを経由する経路（ＰＳＴＮ→ＰＳＴＮ）で通信が実行されたことが記録される（ＳＴ６）。なお、リルート機能を使用していない場合（ＳＴ１：Ｎｏ）には、通信経路の選択は実行されないので、通信経路の情報の格納処理は行われない。以上のステップによりＶｏＩＰ通信情報への通信経路の情報の格納処理が完了する。
【００４１】
図７は、通信経路の情報を通信管理レポートの情報として取り出す処理を示すフロー図である。ＶｏＩＰ通信情報エリアに格納された通信経路の情報を通信管理レポートの情報として取り出す場合には、まず、その相手先についてリルート機能を使用しているか否かが判定される（ＳＴ１１）。そこで、リルート機能を使用していない場合には、既定の通信経路（通常は、ＩＰＳＴＮ６のみを経由する経路）であることを示す「ＯＫ」が通信管理レポートの通信経路表示欄に記載される（ＳＴ１２）。
【００４２】
一方、リルート機能を使用している場合には、実行されたファクシミリ通信において発呼されたダイヤル番号がＩＰ用のダイヤル番号であるか否かが判定される（ＳＴ１３）。そこで、ＩＰ用のダイヤル番号である場合には、ＩＰＳＴＮ６のみを経由する経路であることを示す「ＯＫ１」が通信管理レポートの通信経路表示欄に記載される（ＳＴ１４）。発呼されたダイヤル番号がＩＰ用のダイヤル番号でない場合（ＳＴ１３：ＮＯ）には、続いて、ダイヤル番号がＰＳＴＮ用のダイヤル番号であるか否かが判定される（ＳＴ１５）。そこで、ＰＳＴＮ用のダイヤル番号である場合には、ＩＰ網５の後にＰＳＴＮ６を経由する経路であることを示す「ＯＫ２」が通信管理レポートの通信経路表示欄に記載される（ＳＴ１６）。発呼されたダイヤル番号がＰＳＴＮ用のダイヤル番号でない場合（ＳＴ１５：ＮＯ）には、先頭に切替識別番号が付されたＰＳＴＮ用のダイヤル番号であると判断され、ＩＰＳＴＮ６のみを経由する経路であることを示す「ＯＫ３」が通信管理レポートの通信経路表示欄に記載される（ＳＴ１７）。以上のステップにより通信経路の情報を通信管理レポートの情報として取り出す処理が完了する。
【００４３】
図８は、手動による通信管理レポートの出力処理を示すフロー図である。オペレータが手動により通信管理レポートをプリンタ１２で印刷出力する場合には、まず、表示・操作パネル１５を操作することにより装置に対して手動出力を指示する（ＳＴ２１：ＹＥＳ）。次に、装置に紙詰まり等の問題がなく出力可能な状態であるか否かが判定され（ＳＴ２２）、出力可能な状態である場合には、さらに、出力対象となる通信管理レポートの情報が存在するか否かが判定される（ＳＴ２３）。そこで、通信管理レポートの情報が存在する場合には、その通信管理レポートの内容が印刷出力され（ＳＴ２４）、出力処理が完了する。
【００４４】
一方、装置が通信管理レポートを出力可能な状態でないとき（ＳＴ２２：ＮＯ）、或いは、出力対象となる通信管理レポートの情報が存在しないとき（ＳＴ２３：ＮＯ）は、拒否音を鳴らすことにより処理不能であることがオペレータに報知され（ＳＴ２５、ＳＴ２６）、出力処理が終了する。
【００４５】
なお、オペレータが通信管理レポートを表示・操作パネル１５に表示出力する場合についても上記と同様の処理を実行することが可能である。
【００４６】
図９は、通信管理レポートの自動出力処理を示すフロー図である。オペレータが予め通信管理レポートの自動出力設定を行った場合には、プリンタ１２により通信管理レポートを定期的に印刷出力させることが可能である。まず、ファクシミリ通信が終了すると、その通信結果の情報がバックアップメモリ１４の通信管理レポート情報エリア３３に格納される（ＳＴ３１）。ここで、通信管理レポート情報エリア３３については、予め一定のメモリ容量が設定されており、その容量が満たされたと判断されると（ＳＴ３２：ＹＥＳ）、装置に紙詰まり等の問題がなく出力可能な状態であるか否かが判定される（ＳＴ３３）。そこで、出力可能な状態である場合には、さらに、出力対象となる通信管理レポートの情報が存在するか否かが判定され（ＳＴ３４）、通信管理レポートの情報が存在する場合には、その通信管理レポートの内容が印刷出力され（ＳＴ３５）、出力処理が完了する。
【００４７】
一方、装置が通信管理レポートを出力可能な状態でないとき（ＳＴ３３：ＮＯ）、或いは、出力対象となる通信管理レポートの情報が存在しないとき（ＳＴ３４：ＮＯ）は、出力処理のエラーとなり処理が終了する。
【００４８】
なお、オペレータが通信管理レポートを表示・操作パネル１５に表示出力する場合についても上記と同様の処理を実行することが可能である。また、ここでは通信管理レポート情報エリア３３に蓄積された情報量に基づき出力処理を実行させる場合について示したが、例えば、所定の送信／受信件数毎に出力処理を行うことも可能である。
【００４９】
図１０は、図５に示した通信管理レポートの表示例を示す図である。通信管理レポートには、図５に示したような種々の情報が含まれるが、ここでは、ジョブ番号（ＮＯ）、通信結果（結果）、送信または受信枚数（枚数）、ファイル番号（ファイル）、通信時間、送信または受信モード（モード）、相手先のＩＤ、名称またはダイヤル番号（相手先情報）、通信の日付及び時刻、並びに通信速度の情報等を含む通信コードの情報から構成された例を示す。
【００５０】
結果表示欄において、「ＯＫ」、「ＯＫ１」、「ＯＫ２」、及び「ＯＫ３」は、通信経路の情報と通信の正常終了を示す情報とが一括表示されたものである。ここで、「ＯＫ」は、リルート機能を使用せずに既定の通信経路で正常に通信が実行されたことを示し、「ＯＫ１」は、ＩＰＳＴＮ６のみを経由する経路で正常に通信が実行されたことを示し、「ＯＫ２」は、ＩＰ網５の後にＰＳＴＮ６を経由する経路で正常に通信が実行されたことを示し、さらに、「ＯＫ３」は、ＩＰＳＴＮ６のみを経由する経路で正常に通信が実行されたことを示す。
【００５１】
一方、結果表示欄の４桁の数値コードは、通信経路の情報と通信のエラー終了を示す情報とが一括表示されたものであり、４桁の先頭の数字が通信経路の情報を示し、その他の３桁の数字が所定のエラーコードを示す。ここで、４桁の先頭の数字「３」は、ＩＰＳＴＮ６のみを経由する経路で通信が実行されたことを示し、４桁の先頭の数字「４」は、ＩＰ網５の後にＰＳＴＮ６を経由する経路で通信が実行されたことを示し、さらに、４桁の先頭の数字「５」は、ＩＰＳＴＮ６のみを経由する経路で通信が実行されたことを示す。なお、結果表示欄の「停止」の表示は、オペレータが処理を強制的に停止させたことを示すものである。
【００５２】
前述のように、本実施の形態では、ＩＰＳＴＮ６のみを経由する経路、ＩＰ網５の後にＰＳＴＮ６を経由する経路、及びＩＰＳＴＮ６のみを経由する経路の順で優先順位が定められており、優先順位の高い経路でエラーが発生した場合には、次の優先順位の経路が自動的に選択されたファクシミリ通信が再度実行される。また、ＩＰＳＴＮ６のみを経由する経路でエラーが発生した場合には、ＩＰＳＴＮ６のみを経由する経路で繰り返し通信が実行される。
【００５３】
例えば、ファイル番号２０７（ジョブＮＯ.００５〜００８）についての結果表示欄は、まず、ジョブＮＯ.００５において、ＩＰＳＴＮ６のみを経由する経路においてエラーコード５０３に対応するエラーが発生し、次に、通信経路をＩＰ網５の後にＰＳＴＮ６を経由する経路に切換えたジョブＮＯ.００６において、エラーコード４０４に対応するエラーが発生し、さらに、通信経路をＩＰＳＴＮ６のみを経由する経路に切換えたジョブＮＯ.００７において、エラーコード４０４に対応するエラーが発生し、最終的に、ＩＰＳＴＮ６のみを経由する経路で再度通信を実行したジョブＮＯ.００８において、通信が正常に終了ししたことを示している。
【産業上の利用可能性】
【００５４】
本発明にかかるファクシミリ装置によれば、実行したファクシミリ通信の通信経路の情報を容易に確認することが可能となり、ＩＰ網及びＰＳＴＮの双方を利用してファクシミリ通信可能なファクシミリ装置として有用である。
【図面の簡単な説明】
【００５５】
【図１】本発明によるファクシミリ装置を用いた通信システムの構成を示すブロック図
【図２】本発明によるファクシミリ装置の構成を示すブロック図
【図３】図２のファクシミリ装置のバックアップメモリに格納される各種情報の構成を示す模式図
【図４】図２のファクシミリ装置におけるダイヤル番号の登録手順の説明図
【図５】図３の通信管理レポート情報の内容を示す模式図
【図６】図５のＶｏＩＰ通信情報に通信経路の情報が格納される処理を示すフロー図
【図７】通信経路の情報を通信管理レポートの情報として取り出す処理を示すフロー図
【図８】手動による通信管理レポートの出力処理を示すフロー図
【図９】通信管理レポートの自動出力処理を示すフロー図
【図１０】図５の通信管理レポートの表示例を示す図
【符号の説明】
【００５６】
１，２  ファクシミリ装置
３，４  ＰＢＸ
５  ＩＰ網
６  ＰＳＴＮ
１５  表示・操作パネル
１７  バックアップメモリ（通信情報記憶部）
２１  主制御部（経路判定部・出力制御部・通信制御部）
【図１】
2006157366.tif 000003
【図２】
2006157366.tif 000004
【図３】
2006157366.tif 000005
【図４】
2006157366.tif 000006
【図５】
2006157366.tif 000007
【図６】
2006157366.tif 000008
【図７】
2006157366.tif 000009
【図８】
2006157366.tif 000010
【図９】
2006157366.tif 000011
【図１０】
2006157366.tif 000012